(57)【要約】【課題】紙幣計数部や硬貨計数部からなる計数部と操作部とを一体化し、コンパクトで操作者にとって使い勝手が良く、店舗の売上金等に係る紙幣や硬貨の計数を行うとともに計数結果の累計を確定することができる貨幣計数機を提供する。【解決手段】制御部１５は、操作部４５から計数開始指令を受けたときに、計数部２０、３０の入金部２１、３１に入金された紙幣や硬貨等の貨幣の計数を行うよう計数部２０、３０を制御し、操作部４５から確定指令を受けたときに、計数部２０、３０における貨幣の計数結果の累計を確定するとともに確定された貨幣の累計を出力する。【選択図】図１
2011118651.tif 000002
【特許請求の範囲】
【請求項１】
貨幣を機内へ入金するための入金部と、前記入金部により繰り出された貨幣の識別計数を行う識別部と、前記識別部により識別計数された貨幣を機外へ出金するための出金部とを有する計数部と、
前記計数部の制御を行う制御部と、
前記制御部に対して、前記計数部において貨幣の計数を開始する計数開始指令、および前記計数部における貨幣の計数結果の累計を確定する確定指令を行うための操作部と、
を備え、
前記制御部は、前記操作部から計数開始指令を受けたときに、前記計数部の前記入金部に入金された貨幣の計数を行うよう前記計数部を制御し、前記操作部から確定指令を受けたときに、前記計数部における貨幣の計数結果の累計を確定するとともに確定された貨幣の累計を出力することを特徴とする貨幣計数機。
【請求項２】
前記計数部は、紙幣を機内へ入金するための紙幣入金部と、前記紙幣入金部により繰り出された紙幣の識別計数を行う紙幣識別部と、前記紙幣識別部により識別計数された紙幣を機外へ出金するための紙幣出金部とを有する紙幣計数部、または、硬貨を機内へ入金するための硬貨入金部と、前記硬貨入金部により繰り出された硬貨の識別計数を行う硬貨識別部と、前記硬貨識別部により識別計数された硬貨を機外へ出金するための硬貨出金部とを有する硬貨計数部であることを特徴とする請求項１記載の貨幣計数機。
【請求項３】
前記計数部は、紙幣を機内へ入金するための紙幣入金部と、前記紙幣入金部により繰り出された紙幣の識別計数を行う紙幣識別部と、前記紙幣識別部により識別計数された紙幣を機外へ出金するための紙幣出金部とを有する紙幣計数部、および、硬貨を機内へ入金するための硬貨入金部と、前記硬貨入金部により繰り出された硬貨の識別計数を行う硬貨識別部と、前記硬貨識別部により識別計数された硬貨を機外へ出金するための硬貨出金部とを有する硬貨計数部からなり、
前記制御部は、前記紙幣計数部や前記硬貨計数部における紙幣や硬貨の累計を確定する際に、紙幣の累計と硬貨の累計を統合することを特徴とする請求項１記載の貨幣計数機。
【請求項４】
前記制御部に接続された印字部を更に備え、
前記制御部は、前記操作部から確定指令を受けたときに、前記計数部における貨幣の計数結果の累計を確定するとともに確定された貨幣の累計を前記印字部により印字させることを特徴とする請求項１乃至３のいずれか一項に記載の貨幣計数機。
【請求項５】
前記操作部は、前記制御部に対して、前記計数部における貨幣の計数結果の累計を消去する取消指令も行うことができるようになっており、
前記制御部は、前記操作部から取消指令を受けたときに、前記計数部における貨幣の累計を消去することを特徴とする請求項１乃至４のいずれか一項に記載の貨幣計数機。
【請求項６】
前記計数部の前記出金部には、前記識別部により識別計数が行われた貨幣を保留するための保留部が設けられており、前記制御部は、前記保留部から確定指令を伴わずに貨幣が取り出されるとき、前記計数部における計数結果の累計を消去することを特徴とする請求項１乃至５のいずれか一項に記載の貨幣計数機。
【請求項７】
前記計数部の前記出金部には、当該出金部を選択的に閉止する出金部閉止機構が設けられており、
前記操作部は、前記制御部に対して、前記計数部において前記保留部に保留された貨幣を回収するための回収指令も行うことができるようになっており、
前記制御部は、通常時には前記出金部閉止機構により前記出金部を閉止し、前記操作部から回収指令を受けたときに、前記計数部における貨幣の計数結果の累計を確定するとともに、前記出金部閉止機構による前記出金部の閉止を解除して前記保留部を前記出金部から取り出し可能とすることを特徴とする請求項６記載の貨幣計数機。
【請求項８】
前記操作部は、前記制御部に対して、前記計数部における貨幣の計数結果の累計を消去する取消指令も行うことができるようになっており、
前記制御部は、前記操作部から取消指令を受けたときに、前記出金部閉止機構による前記出金部の閉止を解除して前記保留部を前記出金部から取り出し可能とするとともに、前記計数部における貨幣の累計を消去することを特徴とする請求項７記載の貨幣計数機。
【請求項９】
前記計数部の前記出金部には、当該出金部から前記保留部が取り出されたときにこのことを検出する保留部検出部が設けられており、
前記操作部は、前記制御部に対して、前記計数部において前記保留部に保留された貨幣を回収するための回収指令も行うことができるようになっており、
前記制御部は、前記操作部から回収指令を受けていない状態で前記保留部検出部により前記保留部の取り出しが検出されたときに、前記計数部における貨幣の計数結果の累計を消去し、前記操作部から回収指令を受けている状態で前記保留部検出部により前記保留部の取り出しが検出されたときに、前記計数部における貨幣の計数結果の累計を確定することを特徴とする請求項６記載の貨幣計数機。
【請求項１０】
前記計数部の前記出金部には、当該出金部から前記保留部が取り出されたときにこのことを検出する保留部検出部が設けられており、
前記操作部は、前記制御部に対して、前記計数部において前記保留部に保留された貨幣を回収するための回収指令も行うことができるようになっており、
前記制御部は、前記操作部から回収指令を受けていない状態で前記保留部検出部により前記保留部の取り出しが検出されたときに、前記計数部における貨幣の計数結果の累計を消去し、前記操作部から回収指令を受けたときに、前記計数部における貨幣の計数結果の累計を確定することを特徴とする請求項６記載の貨幣計数機。
【請求項１１】
前記保留部には、前記識別部により識別計数が行われた貨幣が収納される収納具が着脱自在に装着されていることを特徴とする請求項６記載の貨幣計数機。
【請求項１２】
前記計数機の前記出金部には、前記保留部に装着された前記収納具の封止を行うための収納具封止部が設けられており、
前記制御部は、前記操作部から確定指令を受けたときに、前記収納具封止部により前記収納具の封止を行わせることを特徴とする請求項１１記載の貨幣計数機。
【発明の詳細な説明】
【技術分野】
【０００１】
本発明は、店舗の売上金等に係る紙幣や硬貨の計数を行う貨幣計数機に関する。
【背景技術】
【０００２】
従来から、小売店等の店舗で発生した売上金の処理として以下のような動作が行われている。すなわち、店舗側の例えば店員が手動で売上金の合計金額、および／または金種毎の金額や枚数を数えて確定し、これらの情報が伝票に記入され、現金バッグに売上金および伝票が入れられ、この売上金および伝票が入れられた現金バッグが回収業者側の例えば回収員に手渡される、という処理が行われている。しかしながら、売上金の計数時や伝票記入時に店員のミスがあると、回収された売上金を回収業者が計数する際に、実際の売上金と伝票に記載の内容とが一致しないという違算が発生する場合がある。この場合、このような違算に対応するために人手がかかり、作業効率が低下してしまうという問題がある。
【０００３】
このような問題に対応するために、店舗側から回収業者側に売上金が引き渡される際に、両者で売上金の内容を確定することが考えられる。この場合には違算が発生する頻度は下がるが、両者のスケジュールの調整を行う必要が生じたり、回収作業に要する時間が増えてしまったりし、回収業者の作業効率が低下してしまう。また、この際に紙幣計数機や硬貨計数機を用いれば、売上金の計数に要する時間は短縮できるが、現金バッグを渡すだけの処理と比べるとやはり時間がかかってしまう。
【０００４】
特許文献１には、売上金の入金処理を行うための売上金入金機が開示されている。特許文献１に開示される売上金入金機によれば、投入された紙幣や硬貨を機内に取り込んで識別計数し、識別計数された紙幣や硬貨をカセットに収納し、売上金の回収時には、回収業者側の回収員等がカセットを機内から取り出すとともにカセットに収納された紙幣や硬貨の内訳を得るようになっている。ここで、紙幣や硬貨の内訳とは、売上金の合計金額等が記載された伝票やレシート、あるいは売上金の合計金額等が記憶されたメモリ、ＩＣチップ、ＩＣカード等のことをいう。特許文献１に開示されるような売上金入金機によれば、いつでも売上金の受け渡しや回収が可能となり、売上金の計数や伝票記入のミスもなくなる。しかしながら、紙幣や硬貨の計数部およびカセットの両方を収容した売上金入金機は、小さな店舗に設置する場合には寸法が大きすぎて設置が困難なことがあり、また、コスト面で導入が困難な場合もある。
【０００５】
また、店舗側で使用する釣銭等が不足した場合には、以下に示すような問題が発生することがある。すなわち、店舗側で使用する釣銭等が不足したときには、回収業者に引き渡されるべき現金バッグから紙幣や硬貨を取り出して使用する場合がある。このときに紙幣や硬貨の再計数を怠ると、実際の売上金と伝票に記載の内容とが一致せず、違算が発生してしまう。また、特許文献１に開示されるような売上金入金機では、入金された紙幣や硬貨は回収業者側の管理下にあり店舗側が引き出すことができないため、売上金入金機内に紙幣や硬貨があるにもかかわらず、釣銭として使用することができないので不便である。
【先行技術文献】
【特許文献】
【０００６】
【特許文献１】特開平６−２６６９６３号公報
【発明の概要】
【発明が解決しようとする課題】
【０００７】
本発明は、このような点を考慮してなされたものであり、紙幣計数部や硬貨計数部からなる計数部と操作部とを一体化し、コンパクトで操作者にとって使い勝手が良く、店舗の売上金等に係る紙幣や硬貨の計数を行うとともに計数結果の累計を確定することができる貨幣計数機を提供することを目的とする。
【課題を解決するための手段】
【０００８】
本発明は、貨幣を機内へ入金するための入金部と、前記入金部により繰り出された貨幣の識別計数を行う識別部と、前記識別部により識別計数された貨幣を機外へ出金するための出金部とを有する計数部と、前記計数部の制御を行う制御部と、前記制御部に対して、前記計数部において貨幣の計数を開始する計数開始指令、および前記計数部における貨幣の計数結果の累計を確定する確定指令を行うための操作部と、を備え、前記制御部は、前記操作部から計数開始指令を受けたときに、前記計数部の前記入金部に入金された貨幣の計数を行うよう前記計数部を制御し、前記操作部から確定指令を受けたときに、前記計数部における貨幣の計数結果の累計を確定するとともに確定された貨幣の累計を出力することを特徴とする貨幣計数機である。
【０００９】
このような貨幣計数機によれば、制御部は、操作部から計数開始指令を受けたときに、計数部の入金部に入金された紙幣や硬貨等の貨幣の計数を行うよう計数部を制御し、操作部から確定指令を受けたときに、計数部における貨幣の計数結果の累計を確定するとともに確定された貨幣の累計を出力するようになっているので、紙幣計数部や硬貨計数部からなる計数部と操作部とを一体化することにより、貨幣計数機をコンパクトで操作者にとって使い勝手が良いものにすることができ、また、店舗の売上金等に係る紙幣や硬貨の計数を行うとともに計数結果の累計を確定することができる。
【００１０】
本発明の貨幣計数機においては、前記計数部は、紙幣を機内へ入金するための紙幣入金部と、前記紙幣入金部により繰り出された紙幣の識別計数を行う紙幣識別部と、前記紙幣識別部により識別計数された紙幣を機外へ出金するための紙幣出金部とを有する紙幣計数部、または、硬貨を機内へ入金するための硬貨入金部と、前記硬貨入金部により繰り出された硬貨の識別計数を行う硬貨識別部と、前記硬貨識別部により識別計数された硬貨を機外へ出金するための硬貨出金部とを有する硬貨計数部であってもよい。
【００１１】
あるいは、前記計数部は、紙幣を機内へ入金するための紙幣入金部と、前記紙幣入金部により繰り出された紙幣の識別計数を行う紙幣識別部と、前記紙幣識別部により識別計数された紙幣を機外へ出金するための紙幣出金部とを有する紙幣計数部、および、硬貨を機内へ入金するための硬貨入金部と、前記硬貨入金部により繰り出された硬貨の識別計数を行う硬貨識別部と、前記硬貨識別部により識別計数された硬貨を機外へ出金するための硬貨出金部とを有する硬貨計数部からなり、前記制御部は、前記紙幣計数部や前記硬貨計数部における紙幣や硬貨の累計を確定する際に、紙幣の累計と硬貨の累計を統合するようになっていてもよい。
【００１２】
本発明の貨幣計数機においては、前記制御部に接続された印字部を更に備え、前記制御部は、前記操作部から確定指令を受けたときに、前記計数部における貨幣の計数結果の累計を確定するとともに確定された貨幣の累計を前記印字部により印字させるようになっていてもよい。
【００１３】
本発明の貨幣計数機においては、前記操作部は、前記制御部に対して、前記計数部における貨幣の計数結果の累計を消去する取消指令も行うことができるようになっており、前記制御部は、前記操作部から取消指令を受けたときに、前記計数部における貨幣の累計を消去するようになっていてもよい。
【００１４】
本発明の貨幣計数機においては、前記計数部の前記出金部には、前記識別部により識別計数が行われた貨幣を保留するための保留部が設けられており、前記制御部は、前記保留部から確定指令を伴わずに貨幣が取り出されるとき、前記計数部における計数結果の累計を消去するようになっていてもよい。
【００１５】
この際に、前記計数部の前記出金部には、当該出金部を選択的に閉止する出金部閉止機構が設けられており、前記操作部は、前記制御部に対して、前記計数部において前記保留部に保留された貨幣を回収するための回収指令も行うことができるようになっており、前記制御部は、通常時には前記出金部閉止機構により前記出金部を閉止し、前記操作部から回収指令を受けたときに、前記計数部における貨幣の計数結果の累計を確定するとともに、前記出金部閉止機構による前記出金部の閉止を解除して前記保留部を前記出金部から取り出し可能とするようになっていてもよい。
【００１６】
この場合、前記操作部は、前記制御部に対して、前記計数部における貨幣の計数結果の累計を消去する取消指令も行うことができるようになっており、前記制御部は、前記操作部から取消指令を受けたときに、前記出金部閉止機構による前記出金部の閉止を解除して前記保留部を前記出金部から取り出し可能とするとともに、前記計数部における貨幣の累計を消去するようになっていてもよい。
【００１７】
また、前記計数部の前記出金部には、当該出金部から前記保留部が取り出されたときにこのことを検出する保留部検出部が設けられており、前記操作部は、前記制御部に対して、前記計数部において前記保留部に保留された貨幣を回収するための回収指令も行うことができるようになっており、前記制御部は、前記操作部から回収指令を受けていない状態で前記保留部検出部により前記保留部の取り出しが検出されたときに、前記計数部における貨幣の計数結果の累計を消去し、前記操作部から回収指令を受けている状態で前記保留部検出部により前記保留部の取り出しが検出されたときに、前記計数部における貨幣の計数結果の累計を確定するようになっていてもよい。
【００１８】
あるいは、前記計数部の前記出金部には、当該出金部から前記保留部が取り出されたときにこのことを検出する保留部検出部が設けられており、前記操作部は、前記制御部に対して、前記計数部において前記保留部に保留された貨幣を回収するための回収指令も行うことができるようになっており、前記制御部は、前記操作部から回収指令を受けていない状態で前記保留部検出部により前記保留部の取り出しが検出されたときに、前記計数部における貨幣の計数結果の累計を消去し、前記操作部から回収指令を受けたときに、前記計数部における貨幣の計数結果の累計を確定するようになっていてもよい。
【００１９】
本発明の貨幣計数機においては、前記保留部には、前記識別部により識別計数が行われた貨幣が収納される収納具が着脱自在に装着されていてもよい。
【００２０】
この際に、前記計数機の前記出金部には、前記保留部に装着された前記収納具の封止を行うための収納具封止部が設けられており、前記制御部は、前記操作部から確定指令を受けたときに、前記収納具封止部により前記収納具の封止を行わせるようになっていてもよい。
【発明の効果】
【００２１】
本発明の貨幣計数機によれば、紙幣計数部や硬貨計数部からなる計数部と操作部とを一体化し、コンパクトで操作者にとって使い勝手が良く、店舗の売上金等に係る紙幣や硬貨の計数を行うとともに計数結果の累計を確定することができる。
【図面の簡単な説明】
【００２２】
【図１】本発明の実施の形態による貨幣計数機の構成を示す斜視図である。
【図２】図１に示す貨幣計数機における紙幣計数部の構成の概略を示す概略構成図である。
【図３】図１に示す貨幣計数機における硬貨計数部の構成の概略を示す概略構成図である。
【図４】図１等に示す貨幣計数機における制御ブロック図である。
【図５】図１等に示す貨幣計数機の動作を示すフローチャートである。
【図６】図１に示す貨幣計数機における紙幣計数部の他の構成の概略を示す概略構成図である。
【図７】図１に示す貨幣計数機における硬貨計数部の他の構成の概略を示す概略構成図である。
【図８】図６に示す紙幣計数部や図７に示す硬貨計数部を有するような貨幣計数機の動作を示すフローチャートである。
【図９】図１に示す貨幣計数機において、紙幣収納ボックスや硬貨収納ボックスに紙幣収納袋や硬貨収納袋が設けられた例を示す図である。
【発明を実施するための形態】
【００２３】
以下、図面を参照して本発明の実施の形態について説明する。図１乃至図５は、本実施の形態に係る貨幣計数機を示す図である。本実施の形態による貨幣計数機は、店舗の売上金等に係る紙幣や硬貨の計数を行うものである。
【００２４】
図１に示すように、貨幣計数機１０は略直方体形状の筐体１１を備えており、この筐体１１には、貨幣計数機１０を前方から見て右側に配置された紙幣計数部２０と、左側に配置された硬貨計数部３０とがそれぞれ左右に並ぶよう設けられている。
【００２５】
まず、紙幣計数部２０の構成の詳細について図２を用いて説明する。図１および図２に示すように、紙幣計数部２０は、機内への紙幣の入金を行うための紙幣入金部２１と、紙幣入金部２１により１枚ずつ繰り出された紙幣を搬送する紙幣搬送部２５と、紙幣搬送部２５で搬送される紙幣の金種等の識別および計数を行う紙幣識別部２６とを有している。紙幣入金部２１には紙幣繰出機構２１ａが設けられており、紙幣入金部２１に投入された紙幣はこの紙幣繰出機構２１ａにより１枚ずつ紙幣搬送部２５に繰り出されるようになっている。また、紙幣搬送部２５には紙幣リジェクト部２２が接続されており、紙幣識別部２６で識別された紙幣のうち偽札や識別不能な紙幣等のリジェクト紙幣は紙幣搬送部２５から紙幣リジェクト部２２に送られて集積され、この紙幣リジェクト部２２から返却（リジェクト）されるようになっている。
【００２６】
また、紙幣搬送部２５には紙幣出金部２３が接続されており、紙幣識別部２６で識別された紙幣のうち正常な紙幣は紙幣搬送部２５から紙幣出金部２３に送られるようになっている。より具体的には、紙幣出金部２３には紙幣保留ボックス２９が設けられており、紙幣搬送部２５から紙幣出金部２３に送られた紙幣は紙幣保留ボックス２９内に保留されるようになっている。ここで、紙幣保留ボックス２９は紙幣出金部２３から筐体１１の外部に取り出し可能となっている。より具体的には、紙幣保留ボックス２９は紙幣出金部２３から筐体１１の手前側に引き出すことにより取り出すことができるようになっている。
【００２７】
また、図１および図２に示すように、紙幣出金部２３には開閉可能な扉２４が設けられている。扉２４にはロック機構２４ａが設けられており、このロック機構２４ａにより扉２４が閉止状態でロックされると、操作者は紙幣出金部２３内にアクセスできないようになっている。一方、ロック機構２４ａにより扉２４のロック状態が解除されると、操作者は扉２４を開いて紙幣出金部２３内にある紙幣保留ボックス２９を取り出すことができるようになっている。
【００２８】
次に、硬貨計数部３０の構成の詳細について図３を用いて説明する。図１および図３に示すように、硬貨計数部３０は、機内への硬貨の入金を行うための硬貨入金部３１と、硬貨入金部３１により１枚ずつ繰り出された硬貨を搬送する硬貨搬送部３５と、硬貨搬送部３５で搬送される硬貨の金種等の識別および計数を行う硬貨識別部３６とを有している。硬貨入金部３１には硬貨繰出機構３１ａが設けられており、硬貨入金部３１に投入された硬貨はこの硬貨繰出機構３１ａにより１枚ずつ硬貨搬送部３５に繰り出されるようになっている。図１に示すように、硬貨入金部３１には、開閉可能な硬貨入金部カバー３１ｂが配置されている。また、硬貨搬送部３５にはリジェクトシュート３５ａを介して硬貨リジェクト部３２が接続されており、硬貨識別部３６で識別された硬貨のうち識別不能な硬貨等のリジェクト硬貨は硬貨搬送部３５からリジェクトシュート３５ａを介して硬貨リジェクト部３２に送られて集積され、この硬貨リジェクト部３２から返却（リジェクト）されるようになっている。
【００２９】
また、硬貨搬送部３５には出金シュート３５ｂを介して硬貨出金部３３が接続されており、硬貨識別部３６で識別された硬貨のうち正常な硬貨は硬貨搬送部３５から出金シュート３５ｂを介して硬貨出金部３３に送られるようになっている。より具体的には、硬貨出金部３３には硬貨保留ボックス３９が設けられており、硬貨搬送部３５から硬貨出金部３３に送られた硬貨は硬貨保留ボックス３９内に保留されるようになっている。ここで、硬貨保留ボックス３９は硬貨出金部３３から筐体１１の外部に取り出し可能となっている。より具体的には、硬貨保留ボックス３９は硬貨出金部３３から筐体１１の手前側に引き出すことにより取り出すことができるようになっている。
【００３０】
また、図１および図３に示すように、硬貨出金部３３には開閉可能な扉３４が設けられている。扉３４にはロック機構３４ａが設けられており、このロック機構３４ａにより扉３４が閉止状態でロックされると、操作者は硬貨出金部３３内にアクセスできないようになっている。一方、ロック機構３４ａにより扉３４のロック状態が解除されると、操作者は扉３４を開いて硬貨出金部３３内にある硬貨保留ボックス３９を取り出すことができるようになっている。
【００３１】
次に、貨幣計数機１０に設けられた他の様々な機構について説明する。図１に示すように、貨幣計数機１０の筐体１１の上面には、操作者が貨幣計数機１０の制御部１５（後述）に対して様々な指令を行うための操作部４５、および貨幣計数機１０における貨幣の計数結果等を表示する表示部４４が設けられている。ここで、操作部４５は、例えばテンキーや確定キー、スタートキー、取消キー、回収キーならびにリセットキー等を有しており、操作者が各キーを押すことにより貨幣計数機１０の制御部１５に対して様々な指令を行うことができるようになっている。表示部４４は、例えば液晶ディスプレイ（ＬＣＤ）から構成されている。また、貨幣計数機１０の筐体１１の上面には、貨幣計数機１０による貨幣の計数結果等を印字するプリンタ４３が設けられている。
【００３２】
また、図１に示すように、筐体１１の前面には、操作者の操作権限の確認を行うためのカードリーダ４６が設けられている。カードリーダ４６は、操作者が携帯するＩＤカードのＩＤ情報の読み取りを行うようになっている。ＩＤカードは磁気カード、ＩＣカード等が使用できる。また、カードリーダ４６の代わりに、またはカードリーダ４６に加えて、生体認証装置を設けてもよい。また、筐体１１の内部には、貨幣計数機１０による貨幣の計数結果等を記憶する記憶部４８が設けられている。
【００３３】
次に、貨幣計数機１０における各構成要素の制御を行う制御部１５について図４を用いて説明する。図４は、図１乃至図３に示す貨幣計数機１０における制御ブロック図である。制御部１５は貨幣計数機１０の筐体１１内に設置されている。
【００３４】
図４に示すように、制御部１５には、紙幣計数部２０の各構成要素（例えば、紙幣繰出機構２１ａ、紙幣搬送部２５、紙幣識別部２６、ロック機構２４ａ等）、硬貨計数部３０の各構成要素（硬貨繰出機構３１ａ、硬貨搬送部３５、硬貨識別部３６、ロック機構３４ａ等）、表示部４４、操作部４５、プリンタ４３、カードリーダ４６、記憶部４８等が接続されている。また、制御部１５にはインターフェース４７が接続されており、このインターフェース４７を介して上位装置等の外部装置と信号の送受信を行うことができるようになっている。
【００３５】
次に、このような構成からなる貨幣計数機１０の動作について図５に示すフローチャートを用いて説明する。以下に示す貨幣計数機１０の動作は、制御部１５が貨幣計数機１０の各構成要素を制御することにより行われる。
【００３６】
貨幣計数機１０により紙幣や硬貨の計数を行うにあたり、最初に、操作者は、紙幣計数部２０の紙幣入金部２１に紙幣を投入するとともに硬貨計数部３０の硬貨入金部３１に硬貨を投入する（図５のＳＴＥＰ１）。なお、初期状態において、ロック機構２４ａ、３４ａによって紙幣出金部２３や硬貨出金部３３は扉２４、３４により閉止されている。そして、操作者は、操作部４５のスタートキーを押下することにより、制御部１５に対して計数開始指令を与える（図５のＳＴＥＰ２）。
【００３７】
制御部１５に対して計数開始指令が与えられると、紙幣計数部２０において紙幣入金部２１に投入された紙幣が紙幣繰出機構２１ａにより機内に１枚ずつ繰り出され、繰り出された紙幣は紙幣搬送部２５により１枚ずつ搬送され、紙幣識別部２６により識別計数される（図５のＳＴＥＰ３）。ここで、紙幣識別部２６により識別計数された紙幣が正常な紙幣である場合には（図５のＳＴＥＰ４の「ＹＥＳ」）、この紙幣は紙幣出金部２３に設けられた紙幣保留ボックス２９内に保留される（図５のＳＴＥＰ５）。一方、紙幣識別部２６により識別計数された紙幣が偽札や識別不能な紙幣等のリジェクト紙幣である場合には（図５のＳＴＥＰ４の「ＮＯ」）、この紙幣は紙幣搬送部２５から紙幣リジェクト部２２に送られ、この紙幣リジェクト部２２によりリジェクト（返却）される（図５のＳＴＥＰ６）。このような動作は、紙幣入金部２１に投入された紙幣が全て機内に取り込まれるまで行われる（図５のＳＴＥＰ７の「ＮＯ」）。
【００３８】
同様に、制御部１５に対して計数開始指令が与えられると、硬貨計数部３０において硬貨入金部３１に投入された硬貨が硬貨繰出機構３１ａにより機内に１枚ずつ繰り出され、繰り出された硬貨は硬貨搬送部３５により１枚ずつ搬送され、硬貨識別部３６により識別計数される（図５のＳＴＥＰ３）。ここで、硬貨識別部３６により識別計数された硬貨が正常な硬貨である場合には（図５のＳＴＥＰ４の「ＹＥＳ」）、この硬貨は硬貨出金部３３に設けられた硬貨保留ボックス３９内に保留される（図５のＳＴＥＰ５）。一方、硬貨識別部３６により識別計数された硬貨が識別不能な硬貨等のリジェクト硬貨である場合には（図５のＳＴＥＰ４の「ＮＯ」）、この硬貨は硬貨搬送部３５から硬貨リジェクト部３２に送られ、この硬貨リジェクト部３２によりリジェクト（返却）される（図５のＳＴＥＰ６）。このような動作は、硬貨入金部３１に投入された硬貨が全て機内に取り込まれるまで行われる（図５のＳＴＥＰ７の「ＮＯ」）。
【００３９】
紙幣入金部２１や硬貨入金部３１に投入された紙幣や硬貨が全て機内に取り込まれた後、計数を行うべき紙幣や硬貨が他にある場合には、操作者は、紙幣計数部２０の紙幣入金部２１や硬貨計数部３０の硬貨入金部３１に追加の紙幣や硬貨を投入し、操作部４５のスタートキーを押下することにより、制御部１５に対して計数開始指令を与える（図５のＳＴＥＰ８の「ＹＥＳ」）。この場合、上述した図５のＳＴＥＰ３〜ＳＴＥＰ７に示すような動作が再び行われる。
【００４０】
一方、紙幣入金部２１や硬貨入金部３１に投入された紙幣や硬貨が全て機内に取り込まれた後、計数を行うべき紙幣や硬貨が他にない場合には、操作者は、操作部４５の確定キーを押下することにより、制御部１５に対して確定指令を与えることとなる（図５のＳＴＥＰ１１の「ＹＥＳ」）。このことにより、制御部１５は、紙幣計数部２０や硬貨計数部３０における紙幣や硬貨の計数結果の累計を確定する（図５のＳＴＥＰ１２）。具体的には、制御部１５は、紙幣計数部２０により算出された紙幣の累計と、硬貨計数部３０により算出された硬貨の累計を統合する。ここで、紙幣の累計と硬貨の累計を統合するとは、紙幣の各金種の計数枚数や金額に関するデータと硬貨の各金種の計数枚数や金額に関するデータとを一体的なデータとして扱ったり、紙幣の全金種の合計金額と硬貨の全金種の合計金額とを合算して合計金額を算出したりすることをいう。また、制御部１５は、確定された紙幣や硬貨の計数結果の累計を出力する（図５のＳＴＥＰ１２）。具体的には、制御部１５は、紙幣や硬貨の計数結果の累計を記憶部４８に記憶させたり、表示部４４に表示させたりする。あるいは、制御部１５は、紙幣や硬貨の計数結果の累計をプリンタ４３により印字させる。また、制御部１５は、インターフェース４７を介して紙幣や硬貨の計数結果の累計を外部装置に送信してもよい。
【００４１】
その後、計数された紙幣や硬貨の回収を行う際には、操作者が操作部４５の回収キーを押下することにより、制御部１５に対して回収指令を与えると、ロック機構２４ａ、３４ａによる扉２４、３４のロックが解除され、操作者は扉２４、３４を開けることにより紙幣出金部２３や硬貨出金部３３内にアクセスすることができるようになる。その後、操作者は紙幣出金部２３や硬貨出金部３３から紙幣保留ボックス２９や硬貨保留ボックス３９を取り出し、これらの紙幣保留ボックス２９や硬貨保留ボックス３９から紙幣や硬貨を抜き出して現金バッグに詰める。この際に、プリンタ４３により印字された、紙幣や硬貨の計数結果の累計が書かれた伝票も現金バッグに詰める。その後、店舗に訪れた回収業者側の例えば回収員にこの現金バッグが手渡される。このことにより、計数された紙幣や硬貨の回収が行われる（図５のＳＴＥＰ１３）。
【００４２】
なお、計数された紙幣や硬貨の回収を行う動作に関して、操作者が操作部４５の回収キーを押下することにより制御部１５に対して回収指令を与える代わりに、操作者が操作部４５の確定キーを押下することにより制御部１５に対して確定指令を与えるだけで、ロック機構２４ａ、３４ａによる扉２４、３４のロックが解除されるようになっていてもよい。また逆に、操作者が操作部４５の確定キーを押下することにより制御部１５に対して確定指令を与える代わりに、操作者が操作部４５の回収キーを押下することにより制御部１５に対して回収指令を与えるだけで、制御部１５は、紙幣計数部２０や硬貨計数部３０における紙幣や硬貨の計数結果の累計を確定するようになっていてもよい。
【００４３】
ところで、紙幣入金部２１や硬貨入金部３１に投入された紙幣や硬貨が全て機内に取り込まれた後（図５のＳＴＥＰ７の「ＹＥＳ」）、例えば貨幣計数機１０とは別個に設けられた貨幣釣銭機用の釣銭等として、貨幣計数機１０により計数された紙幣や硬貨を用いたい場合がある。この場合には、操作者は、操作部４５の取消キーを押下することにより、制御部１５に対して取消指令を与える（図５のＳＴＥＰ９の「ＹＥＳ」）。制御部１５に対して取消指令が与えられると、紙幣計数部２０や硬貨計数部３０における紙幣や硬貨の計数結果の累計がリセットされる（図５のＳＴＥＰ１０）。また、制御部１５に対して取消指令が与えられると、ロック機構２４ａ、３４ａによる扉２４、３４のロックが解除され、操作者は扉２４、３４を開けることにより紙幣出金部２３や硬貨出金部３３内にアクセスすることができるようになる。このことにより、操作者は、貨幣釣銭機用の釣銭等としての紙幣や硬貨を紙幣保留ボックス２９や硬貨保留ボックス３９から抜き出すことができるようになる。また、紙幣保留ボックス２９や硬貨保留ボックス３９に残された紙幣や硬貨については、再び紙幣入金部２１や硬貨入金部３１に投入することにより再計数を行うこととなる。
【００４４】
以上のように本実施の形態の貨幣計数機１０によれば、制御部１５は、操作部４５から計数開始指令を受けたときに（図５のＳＴＥＰ２）、紙幣計数部２０の紙幣入金部２１や硬貨計数部３０の硬貨入金部３１に入金された紙幣や硬貨の計数を行うよう紙幣計数部２０や硬貨計数部３０を制御し（図５のＳＴＥＰ３〜６）、操作部４５から確定指令を受けたときに（図５のＳＴＥＰ１１の「ＹＥＳ」）、紙幣計数部２０や硬貨計数部３０における紙幣や硬貨の計数結果の累計を確定するとともに確定された紙幣や硬貨の累計を出力するようになっている（図５のＳＴＥＰ１２）。このような貨幣計数機１０によれば、紙幣計数部２０や硬貨計数部３０からなる計数部と操作部４５とを一体化することにより、貨幣計数機１０をコンパクトで操作者にとって使い勝手が良いものにすることができ、また、店舗の売上金等に係る紙幣や硬貨の計数を行うとともに計数結果の累計を確定することができる。
【００４５】
また、本実施の形態の貨幣計数機１０においては、制御部１５は、紙幣計数部２０や硬貨計数部３０における紙幣や硬貨の累計を確定する際に、紙幣の累計と硬貨の累計を統合するようになっている。このことにより、紙幣の計数結果の累計に係るデータと硬貨の計数結果の累計に係るデータとを一体的に扱うことができる。
【００４６】
また、制御部１５は、操作部４５から確定指令を受けたときに、確定された紙幣や硬貨の累計をプリンタ４３により印字させるようになっている。このことにより、回収業者側の例えば回収員に手渡される現金バッグに、プリンタ４３により印字された紙幣や硬貨の計数結果の累計が書かれた伝票等を現金バッグに詰めることができるようになる。
【００４７】
また、本実施の形態の貨幣計数機１０においては、紙幣計数部２０や硬貨計数部３０の紙幣出金部２３や硬貨出金部３３には、紙幣識別部２６や硬貨識別部３６により識別計数が行われた紙幣や硬貨を保留するための紙幣保留ボックス２９や硬貨保留ボックス３９が設けられており、これらの紙幣保留ボックス２９や硬貨保留ボックス３９は紙幣出金部２３や硬貨出金部３３から取り出し可能となっている。このことにより、識別計数が行われた紙幣や硬貨について、紙幣出金部２３や硬貨出金部３３から出金される前に、紙幣保留ボックス２９や硬貨保留ボックス３９に保留させることができる。
【００４８】
この際に、紙幣計数部２０や硬貨計数部３０の紙幣出金部２３や硬貨出金部３３には、これらの紙幣出金部２３や硬貨出金部３３を扉２４、３４により選択的に閉止するロック機構２４ａ、３４ａが設けられており、制御部１５は、通常時にはロック機構２４ａ、３４ａにより紙幣出金部２３や硬貨出金部３３を扉２４、３４で選択的に閉止し、操作部４５から回収指令を受けたときに、ロック機構２４ａ、３４ａによる紙幣出金部２３や硬貨出金部３３の閉止を解除して紙幣保留ボックス２９や硬貨保留ボックス３９を紙幣出金部２３や硬貨出金部３３から取り出し可能としている（図５のＳＴＥＰ１３）。このことにより、紙幣出金部２３や硬貨出金部３３に設けられた紙幣保留ボックス２９や硬貨保留ボックス３９が、部外者等の第三者により持ち去られることを防止することができる。
【００４９】
また、制御部１５は、操作部４５から取消指令を受けたときに（図５のＳＴＥＰ９の「ＹＥＳ」）、紙幣計数部２０や硬貨計数部３０における紙幣や硬貨の計数結果の累計を消去するようになっている（図５のＳＴＥＰ１０）。このことにより、貨幣計数機１０とは別個に設けられた貨幣釣銭機用の釣銭等としての紙幣や硬貨を紙幣保留ボックス２９や硬貨保留ボックス３９から抜き出すことができるようになる。また、この場合、紙幣保留ボックス２９や硬貨保留ボックス３９に残された紙幣や硬貨については、再び紙幣入金部２１や硬貨入金部３１に投入することにより再計数を行うこととなる。また、制御部１５は、操作部４５から取消命令を受けたときに、ロック機構２４ａ、３４ａによる紙幣出金部２３や硬貨出金部３３の閉止を解除して紙幣保留ボックス２９や硬貨保留ボックス３９を紙幣出金部２３や硬貨出金部３３から取り出し可能とするようになっている。このことにより、ロック機構２４ａ、３４ａが設置されている場合であっても、貨幣釣銭機用の釣銭等としての紙幣や硬貨を紙幣保留ボックス２９や硬貨保留ボックス３９から抜き出す際に、紙幣保留ボックス２９や硬貨保留ボックス３９を紙幣出金部２３や硬貨出金部３３から取り出すことができるようになる。
【００５０】
なお、本実施の形態による貨幣計数機１０は、上記の態様に限定されるものではなく、様々の変更を加えることができる。
【００５１】
例えば、貨幣計数機１０は、紙幣計数部２０および硬貨計数部３０の両方を有するものに限定されることはない。紙幣計数部２０および硬貨計数部３０のうちいずれか一方の計数部のみが貨幣計数機１０に設けられるようになっていてもよい。
【００５２】
また、紙幣計数部２０および硬貨計数部３０の両方が貨幣計数機１０に設けられている場合であっても、紙幣出金部２３および硬貨出金部３３の両方にロック機構２４ａ、３４ａが設けられる必要はない。紙幣出金部２３および硬貨出金部３３のうちいずれか一方にのみロック機構が設けられるようになっていてもよい。ロック機構が設けられることによって確定された計数結果と貨幣とが一致していることが保証されるが、ロック機構がなくとも貨幣の計数結果の確定処理は可能である。
【００５３】
また、紙幣出金部２３や硬貨出金部３３に紙幣保留ボックス２９や硬貨保留ボックス３９が設けられておらず、紙幣搬送部２５や硬貨搬送部３５から紙幣出金部２３や硬貨出金部３３に直接紙幣や硬貨が送られ、送られた紙幣や硬貨が紙幣出金部２３や硬貨出金部３３に集積されるようになっていてもよい。この場合、操作者は、機体の外部から紙幣出金部２３や硬貨出金部３３に手を入れることにより、紙幣出金部２３や硬貨出金部３３に集積された紙幣や硬貨を手で直接取り出すこととなる。また、紙幣出金部２３および硬貨出金部３３のうちいずれか一方にのみ保留ボックスが設けられるようになっていてもよい。
【００５４】
また、紙幣出金部２３や硬貨出金部３３に扉２４、３４やロック機構２４ａ、３４ａを設ける代わりに、図６および図７に示すように、紙幣出金部２３や硬貨出金部３３から紙幣保留ボックス２９や硬貨保留ボックス３９が取り出されたときにこのことを検出する紙幣保留ボックス検出センサ２９ａや硬貨保留ボックス検出センサ３９ａが設けられていてもよい。紙幣保留ボックス検出センサ２９ａや硬貨保留ボックス検出センサ３９ａは例えば光センサからなり、紙幣出金部２３や硬貨出金部３３から紙幣保留ボックス２９や硬貨保留ボックス３９が取り出される際に発光部分から発せられた光が紙幣保留ボックス２９や硬貨保留ボックス３９により遮断されることにより受光部分に到達しないことによって、紙幣保留ボックス２９や硬貨保留ボックス３９が取り出されることを検出するようになっている。なお、図６や図７に示すような紙幣計数部２０や硬貨計数部３０において、ロック機構２４ａ、３４ａは設けられないが、扉２４、３４は設けられるようになっていてもよい。
【００５５】
図６および図７に示すような、紙幣出金部２３や硬貨出金部３３に扉２４、３４やロック機構２４ａ、３４ａが設けられておらず、代わりに紙幣保留ボックス検出センサ２９ａや硬貨保留ボックス検出センサ３９ａが設けられているような貨幣計数機１０の動作について図８に示すフローチャートを用いて以下に説明する。
【００５６】
貨幣計数機１０により紙幣や硬貨の計数を行う際に、紙幣入金部２１や硬貨入金部３１に投入された紙幣や硬貨が全て機内に取り込まれた後、計数を行うべき紙幣や硬貨が他にない場合には、操作者は、操作部４５の回収キーを押下することにより、制御部１５に対して回収指令を与える（図８のＳＴＥＰ２１の「ＹＥＳ」）。その後、操作者が紙幣出金部２３や硬貨出金部３３から紙幣保留ボックス２９や硬貨保留ボックス３９を取り出し、このことが紙幣保留ボックス検出センサ２９ａや硬貨保留ボックス検出センサ３９ａにより検出されると（図８のＳＴＥＰ２２）、制御部１５は、紙幣計数部２０や硬貨計数部３０における紙幣や硬貨の計数結果の累計を確定し、この確定された紙幣や硬貨の計数結果の累計を出力する（図８のＳＴＥＰ２３）。
【００５７】
その後、操作者は紙幣出金部２３や硬貨出金部３３から取り出された紙幣保留ボックス２９や硬貨保留ボックス３９から紙幣や硬貨を抜き出して現金バッグに詰める。その後、店舗に訪れた回収業者側の例えば回収員にこの現金バッグが手渡される。このことにより、計数された紙幣や硬貨の回収が行われる（図８のＳＴＥＰ２４）。
【００５８】
一方、貨幣計数機１０により紙幣や硬貨の計数を行う際に、紙幣入金部２１や硬貨入金部３１に投入された紙幣や硬貨が全て機内に取り込まれた後、例えば貨幣計数機１０とは別個に設けられた貨幣釣銭機用の釣銭等として、貨幣計数機１０により計数された紙幣や硬貨を用いたい場合がある。この場合には、操作者は、操作部４５の回収キーを押下することなく（図８のＳＴＥＰ２１の「ＮＯ」）、紙幣出金部２３や硬貨出金部３３から紙幣保留ボックス２９や硬貨保留ボックス３９を取り出す。そして、このことが紙幣保留ボックス検出センサ２９ａや硬貨保留ボックス検出センサ３９ａにより検出されると（図８のＳＴＥＰ２５）、紙幣計数部２０や硬貨計数部３０における紙幣や硬貨の計数結果の累計がリセットされる（図８のＳＴＥＰ２６）。また、紙幣保留ボックス２９や硬貨保留ボックス３９に残された紙幣や硬貨については、再び紙幣入金部２１や硬貨入金部３１に投入することにより再計数を行うこととなる。
【００５９】
以上のように、図６乃至図８に示すような変形例に係る貨幣計数機１０においては、紙幣出金部２３や硬貨出金部３３には、これらの紙幣出金部２３や硬貨出金部３３から紙幣保留ボックス２９や硬貨保留ボックス３９が取り出されたときにこのことを検出する紙幣保留ボックス検出センサ２９ａや硬貨保留ボックス検出センサ３９ａが設けられている。そして、制御部１５は、操作部４５から回収指令を受けていない状態で紙幣保留ボックス検出センサ２９ａや硬貨保留ボックス検出センサ３９ａにより紙幣保留ボックス２９や硬貨保留ボックス３９の取り出しが検出されたときに（図８のＳＴＥＰ２１の「ＮＯ」、ＳＴＥＰ２５）、紙幣計数部２０や硬貨計数部３０における紙幣の計数結果の累計を消去する（図８のＳＴＥＰ２６）。このことにより、貨幣釣銭機用の釣銭等としての紙幣や硬貨を紙幣保留ボックス２９や硬貨保留ボックス３９から取り出すことができるようになる。また、制御部１５は、操作部４５から回収指令を受けている状態で紙幣保留ボックス検出センサ２９ａや硬貨保留ボックス検出センサ３９ａにより紙幣保留ボックス２９や硬貨保留ボックス３９の取り出しが検出されたときに（図８のＳＴＥＰ２１の「ＹＥＳ」、ＳＴＥＰ２２）、紙幣計数部２０や硬貨計数部３０における紙幣の計数結果の累計を確定する（図８のＳＴＥＰ２３）。
【００６０】
なお、紙幣出金部２３や硬貨出金部３３に紙幣保留ボックス検出センサ２９ａや硬貨保留ボックス検出センサ３９ａが設けられているような貨幣計数機１０の動作について、図８のフローチャートに示すような動作の代わりに、制御部１５は、単に操作部４５から回収指令を受けただけで、紙幣計数部２０や硬貨計数部３０における紙幣の計数結果の累計を確定するようになっていてもよい。
【００６１】
また、紙幣出金部２３および硬貨出金部３３の両方に紙幣保留ボックス検出センサ２９ａおよび硬貨保留ボックス検出センサ３９ａが設けられる必要はない。紙幣出金部２３および硬貨出金部３３のうちいずれか一方にのみ保留ボックス検出センサが設けられるようになっていてもよい。
【００６２】
また、貨幣計数機１０の更に他の変形例としては、図９（ａ）（ｂ）に示すように、紙幣保留ボックス２９や硬貨保留ボックス３９に、紙幣収納袋２９ｂや硬貨収納袋３９ｂが着脱自在に装着されていてもよい。紙幣収納袋２９ｂや硬貨収納袋３９ｂは例えばビニール袋からなり、これらの紙幣収納袋２９ｂや硬貨収納袋３９ｂに、紙幣識別部２６や硬貨識別部３６で識別計数が行われた紙幣や硬貨が収納されるようになっている。このような紙幣収納袋２９ｂや硬貨収納袋３９ｂが設けられていることにより、紙幣保留ボックス２９や硬貨保留ボックス３９から現金バッグに紙幣や硬貨を移しかえる手間を軽減することができる。すなわち、紙幣保留ボックス２９や硬貨保留ボックス３９を紙幣出金部２３や硬貨出金部３３から取り出した後、単に紙幣保留ボックス２９や硬貨保留ボックス３９から紙幣収納袋２９ｂや硬貨収納袋３９ｂを抜き出して現金バッグに入れるだけで、紙幣や硬貨の回収を行うことができる。
【００６３】
また、図９（ａ）（ｂ）に示すように、紙幣出金部２３や硬貨出金部３３には、紙幣保留ボックス２９や硬貨保留ボックス３９に装着された紙幣収納袋２９ｂや硬貨収納袋３９ｂの入口の封止を例えば熱や電気による溶着によって行うための収納袋封止部２９ｃ、３９ｃがそれぞれ設けられている。図９（ａ）は、紙幣収納袋２９ｂや硬貨収納袋３９ｂの入口が開いた状態を示し、図９（ｂ）は、紙幣収納袋２９ｂや硬貨収納袋３９ｂの入口が収納袋封止部２９ｃ、３９ｃにより封止された状態を示している。収納袋封止部２９ｃ、３９ｃは制御部１５によりその動作が制御されるようになっている。より具体的には、制御部１５は、操作部４５から確定指令を受けたときに、図９（ｂ）に示すように収納袋封止部２９ｃ、３９ｃによって紙幣収納袋２９ｂや硬貨収納袋３９ｂの封止を行わせる。収納袋封止部２９ｃ、３９ｃにより紙幣収納袋２９ｂや硬貨収納袋３９ｂの封止を行わせることによって、計数結果の累計の確定がなされた紙幣や硬貨は、その開口が封止された紙幣収納袋２９ｂや硬貨収納袋３９ｂに収納されることとなる。
【００６４】
紙幣収納袋２９ｂや硬貨収納袋３９ｂに収納された紙幣や硬貨を、貨幣計数機１０とは別個に設けられた貨幣釣銭機用の釣銭等として用いたい場合には、紙幣収納袋２９ｂや硬貨収納袋３９ｂを単に破ることによりこれらの紙幣収納袋２９ｂや硬貨収納袋３９ｂに収納された紙幣を使用することができる。また、この際に、紙幣収納袋２９ｂや硬貨収納袋３９ｂが破れていることにより、これらの紙幣収納袋２９ｂや硬貨収納袋３９ｂに残された紙幣や硬貨を再計数しなければならないということが操作者にとってわかるようになる。言い換えると、破れている紙幣収納袋２９ｂや硬貨収納袋３９ｂは回収用の現金バッグに入れることはできず、破れている紙幣収納袋２９ｂや硬貨収納袋３９ｂに収納されている紙幣や硬貨は未計数のものとして取り扱われることとなる。
【００６５】
なお、紙幣保留ボックス２９や硬貨保留ボックス３９の両方に紙幣収納袋２９ｂや硬貨収納袋３９ｂが装着される必要はない。紙幣保留ボックス２９および硬貨保留ボックス３９のうちいずれか一方のみに収納袋が装着されるようになっていてもよい。また、紙幣出金部２３や硬貨出金部３３の両方に収納袋封止部２９ｃ、３９ｃが設けられる必要はない。紙幣出金部２３および硬貨出金部３３のうちいずれか一方のみに収納袋封止部が設けられるようになっていてもよい。
【符号の説明】
【００６６】
１０  貨幣計数機
１１  筐体
１５  制御部
２０  紙幣計数部
２１  紙幣入金部
２１ａ  紙幣繰出機構
２２  紙幣リジェクト部
２３  紙幣出金部
２４  扉
２４ａ  ロック機構
２５  紙幣搬送部
２６  紙幣識別部
２９  紙幣保留ボックス
２９ａ  紙幣保留ボックス検出センサ
２９ｂ  紙幣収納袋
２９ｃ  収納袋封止部
３０  硬貨計数部
３１  硬貨入金部
３１ａ  硬貨繰出機構
３１ｂ  硬貨入金部カバー
３２  硬貨リジェクト部
３３  硬貨出金部
３４  扉
３４ａ  ロック機構
３５  硬貨搬送部
３５ａ  リジェクトシュート
３５ｂ  出金シュート
３６  硬貨識別部
３９  硬貨保留ボックス
３９ａ  硬貨保留ボックス検出センサ
３９ｂ  硬貨収納袋
３９ｃ  収納袋封止部
４３  プリンタ
４４  表示部
４５  操作部
４６  カードリーダ
４７  インターフェース
４８  記憶部
【図１】
2011118651.tif 000003
【図２】
2011118651.tif 000004
【図３】
2011118651.tif 000005
【図４】
2011118651.tif 000006
【図５】
2011118651.tif 000007
【図６】
2011118651.tif 000008
【図７】
2011118651.tif 000009
【図８】
2011118651.tif 000010
【図９】
2011118651.tif 000011